(57)【要約】【課題】オフィス等の部屋内の空間やその床下空間の、プラスイオンを低減させると共にマイナスイオンを増加させて、身体上の不快な症状やアレルギー病等が発生するのを防止することができるフリーアクセスフロア用パネルを提供する。【解決手段】室内空間とフリーアクセスフロアの床下空間とが連通するよう複数の孔１６が設けられたフリーアクセスフロア用パネル２４であって、フリーアクセスフロア用パネル２４の表面２４ａと裏面２４ｂと孔１６の内周面１６ａの少なくとも一つの面に、マイナスイオンが発生する塗料Ｐを塗布した。【選択図】      図１
2004183424.tif 000002
【特許請求の範囲】
【請求項１】
室内空間とフリーアクセスフロアの床下空間とが連通するよう複数の孔が設けられたフリーアクセスフロア用パネルであって、
前記フリーアクセスフロア用パネルの表面と裏面と前記孔の内周面の少なくとも一つの面に、
マイナスイオンが発生する塗料を塗布した
ことを特徴とするフリーアクセスフロア用パネル。
【発明の詳細な説明】
【０００１】
【発明の属する技術分野】
本発明は、複数のパネルを水平面上に並べて、二重床構造のフリーアクセスフロアを構成するのに用いられるフリーアクセスフロア用パネルに関するものである。
【０００２】
【従来の技術】
最近の建築物のオフィス等に用いられる室内には、パソコン，ワープロ，コピー機，プリンター等の各種ＯＡ機器や、それらとケーブルで接続された関連機器等をいくつも配備することが多くなってきた。
【０００３】
そのような場合に、それらのＯＡ機器に接続される各種ケーブルや機材等が、オフィス等の床の上に放置されて乱雑になるのを防止するために、建築構造物のコンクリート床面の上方に空間を隔てて二重床構造を形成し、そのオフィス等の床面を構成するパネルと上記コンクリート床面との間の空間に、上記各種ケーブルや機材等を収納することができるフリーアクセスフロア構造を施工する場合が増えている。
【０００４】
従来のフリーアクセスフロア構造としては、例えば図３に示すようなものがある。同図に示すフリーアクセスフロア構造は、建築構造物のコンクリート床面１０の上に複数本のパネル支持部材１２が立てて固定され、このパネル支持部材１２の上に複数枚（例えば４枚）のフリーアクセスフロア用パネル１４の隅部が載置されて支持されている。
【０００５】
フリーアクセスフロア用パネル１４には、複数の丸孔や長孔等の孔１６が形成されていて、フリーアクセスフロアパネル１４の下部空間と上部空間（フリーアクセスフロア用パネル１４上の部屋空間）との間で空気が移動できるようになっている。
【０００６】
【発明が解決しようとする課題】
近年、多数のＯＡ機器が収納されたオフィスにおいては、プラスイオンが増加する反面マイナスイオンが不足することにより、身体上の種々の弊害、例えば頭痛、肩凝り、イライラ、不眠、めまい、吐き気等の不快な症状が発生することが問題となっている。
【０００７】
また、いわゆるシックハウス症候群と呼ばれる、オフィスの新建築材料に含まれているホルムアルデヒド等の有害物質により、やはりプラスイオンが増加する反面マイナスイオンが不足して、上記不快な症状が発生するだけでなく、気管支ぜんそくやアレルギー病等を引き起こすことが問題となっている。
【０００８】
さらに、オフィスにフリーアクセスフロア構造を採用した場合、そのフリーアクセスフロア用パネルとコンクリート床面との間の床下空間は、清掃する場所の対象外となっているので、やはりプラスイオンが増加する反面マイナスイオンが不足して、空気の汚れやカビの発生などを招く不衛生な場所となり易い。
【０００９】
特にフリーアクセスフロア用パネル１４に多数の長孔等の孔１６が形成されていて、フリーアクセスフロア用パネル１４の下部空間（床下空間）から上部空間に空気を強制的に移動させる床下空調を行う場合は、床下空間から汚れた空気やカビ等がオフィス等の部屋内に侵入することが問題となってくる。
【００１０】
そこで本発明は、上記問題点に鑑みて、オフィス等の部屋内の空間やその床下空間の、プラスイオンを低減させると共にマイナスイオンを増加させて、身体上の不快な症状やアレルギー病等が発生するのを防止することができるフリーアクセスフロア用パネルを提供することを課題とするものである。
【００１１】
【課題を解決するための手段】
上記課題を解決するために本発明は、
室内空間とフリーアクセスフロアの床下空間とが連通するよう複数の孔が設けられたフリーアクセスフロア用パネルであって、
前記フリーアクセスフロア用パネルの表面と裏面と前記孔の内周面の少なくとも一つの面に、
マイナスイオンが発生する塗料を塗布したことを特徴とするものである。
【００１２】
【発明の実施の形態】
以下、本発明の実施の形態について、図面に基づいて具体的に説明する。
図１は、本発明の一実施の形態に係るフリーアクセスフロア用パネル２４を用いたフリーアクセスフロア構造を示す図である。前記従来のフリーアクセスフロア構造と同様の部品や位置には同じ符号を用いて説明し、従来のフリーアクセスフロア構造の説明と重複する説明は省略するものとする。
【００１３】
図１のフリーアクセスフロア用パネル２４の各部分にはマイナスイオンが発生する塗料Ｐが塗布されている。このような塗料Ｐが塗布される場所としては、図２に示すように、フリーアクセスフロア用パネル２４の長孔等の孔１６を形成するその内周面１６ａ、フリーアクセスフロア用パネル２４の表面２４ａ及び裏面２４ｂの全部、又は、それらのうちの少なくとも一つの面に塗布することができる。
【００１４】
上記塗料Ｐが塗布される場所としてはその他に、フリーアクセスフロア用パネル１４の表面２４ａや裏面２４ｂに対して断面が直角をなす、側板１８の外側面１８ａ、内側面１８ｂ及び底面１８ｃや、支持部材１２により支持されるフリーアクセスフロア用パネル２４の四隅部の被支持部２０の内側面、或は、フリーアクセスフロア用パネル２４の裏側に突出して形成される各部分等に塗布することもできる。
【００１５】
このようなフリーアクセスフロア用パネル２４の材質としては、アルミニウムのダイカスト製グリルや、スチール製の孔あきパネル加工品を用いることができ、或はその他の材質の製品を用いることもできる。
【００１６】
マイナスイオンが発生する塗料Ｐとしては、マイナスイオンを発生する鉱物等の結晶体の微粉末を、電気伝導性を有する塗料成分に混入させたものや、無機粘土に希土類鉱物を加えて焼成した特殊焼成セラミックを含有する塗料等が考えられる。
【００１７】
マイナスイオンを発生する鉱物としてはトルマリン（電気石）、ガーネット（ざくろ石）、もしくはバリウム、ジルコニウム、シリカ、ストロンチウム、カルシウム、燐、硫黄、塩素、希土類元素等を含む鉱物のいずれか１種又は２種以上のものが用いられ、希土類元素としてはイットリウム、ランタン、セリウム、ネオジム（ネオジミウム）等が考えられる。
【００１８】
上記電気伝導性を有する塗料成分としては、導電性物質を添加して電気伝導性を付与することができる、あらゆる種類の塗料を使用することができ、油性、水性、酒精、セルロース、合成樹脂等の広範な種類の塗料を用いることができる。但し、導電性物質を添加して電気伝導性を付与することがその塗料の用途に反する絶縁塗料等は除く。
【００１９】
また、塗料成分に電気伝導性をもたせるために使用する伝導性物質としては、銀微粉末、銅微粉末、その他の導電性金属微粉末、炭素微粉末、炭素繊維微粉末、チタン酸カリウムのウィスカ等を用いることができ、これらの１種又は２種以上を選択して利用することができる。
【００２０】
なお、上記実施の形態においてはフリーアクセスフロア用パネル２４の各部に、マイナスイオンが発生する塗料を塗布した場合について説明したが、パネル支持部材１２や、コンクリート床面１０の表面にもマイナスイオンが発生する塗料を塗布してもよい。
【００２１】
【発明の効果】
以上説明したように、本発明によれば、フリーアクセスフロア用パネルの表面と裏面と孔の内周面の少なくとも一つの面に、マイナスイオンが発生する塗料を塗布したため、オフィス等の部屋内の空間やその床下空間のプラスイオンを低減させると共にマイナスイオンを増加させることができて、身体上の不快な症状やアレルギー病等が発生するのを防止することができる。
【図面の簡単な説明】
【図１】本発明の一実施の形態に係るフリーアクセスフロア用パネル２４を用いたフリーアクセスフロア構造を示す断面側面図である。
【図２】図１におけるフリーアクセスフロア用パネル２４のＡ−Ａ線半断面側面図である。
【図３】従来のフリーアクセスフロア用パネル１４を用いたフリーアクセスフロア構造を示す断面側面図である。
【符号の説明】
１０  コンクリート床面
１２  パネル支持部材
１４  フリーアクセスフロア用パネル
１６  孔
１６ａ  内周面
１８  側板
１８ａ  外側面
１８ｂ  内側面
１８ｃ  底面
２０  被支持部
２４  フリーアクセスフロア用パネル
２４ａ  表面
２４ｂ  裏面
【図１】
2004183424.tif 000003
【図２】
2004183424.tif 000004
【図３】
2004183424.tif 000005